(57)【要約】      （修正有）【課題】昼夜にかかわらず交誘導理員の指示内容を的確に通行人または通行車両に伝える事が出来る携帯型指示装置を提供する。【解決手段】携帯型指示装置は通行人および通行車両等の誘導において、通行許可時は○形表示部のＬＥＤが点灯、点滅、通行不許可時は×形表示部のＬＥＤが点灯、点滅することにより通行許可と通行不許可の区別を表示形状の違いで交通誘導を行う。また同時に、携帯型指示装置は交通誘導員自身にもグリップ部に備えた音声発生装置や振動素子により、表示の切り替えと連動して異なる音声または異なるパターンの振動を伝えることで交通誘導員の誤指示をなくす対策を講じている。【選択図】図５
2014235999.tif 000002
【特許請求の範囲】
【請求項１】
表示部とグリップ部により構成され、前記表示部において少なくとも２種類以上の形状表示を行うことを特徴とする携帯型指示装置。
【請求項２】
前記の表示部は複数のＬＥＤ発光体の配列からなり、同じく前記グリップ部には選択した配列のＬＥＤ発光体を点灯させるスイッチを備え、このスイッチの操作により点灯させたＬＥＤ発光体によって形状表示を行うことを特徴とする請求項１に記載の携帯型指示装置。
【請求項３】
点灯を選択したＬＥＤ発光体が点滅することを特徴とする請求項２に記載の携帯型指示装置。
【請求項４】
○形と×形の形状で表示の切替が出来ることを特徴とする請求項２、請求項３のいずれか１項に記載の携帯型指示装置。
【請求項５】
音声発生装置を備え、表示の切り替えと連動して異なる音声を発声させることを特徴とする請求項２〜４のうちいずれか１項に記載の携帯型指示装置。
【請求項６】
前記グリップ部には振動素子を備え、表示の切り替えと連動して異なるパターンの振動をすることを特徴とする、請求項２〜５のうちいずれか１項に記載の携帯型指示装置。
【発明の詳細な説明】
【技術分野】
【０００１】本発明は道路工事現場、駐車場、イベント会場、競技場等において通行人または通行車両の交通誘導を行う際、交通誘導員が通行人または通行車両の誘導を安全かつ円滑に行うことを目的とした携帯型指示装置に関するものである。
【背景技術】
【０００２】道路交通法においての交通整理員の通行人または通行車両の誘導においては、白旗を通行可、赤旗を通行不許可とする手旗式のもので、夜間などには不向きである。【０００３】上記の問題点を解決するため、例えば特許文献１に記載するような発光部を装備した指示灯が考案されている。この指示灯の場合、赤色、青色の丸型（直径約１０ｃｍ）の同じ形状の発光体が支持体に配置されており、交通信号と同じ配色で誘導を行うものである。【０００４】また、特許文献２の指示灯においては、同じく発光部を装備した円筒状の指示灯であり、円筒を縦割りに半分とし、片側を交通票識上の危険色（赤色）、反対側を危険色以外（青色）として通行人もしくは通行車両に表示し誘導を行うものである。【０００５】さらに、今では一般的に使用されている円筒状の赤色の照明部を装備した指示灯においての交通誘導は、交通誘導員の指示灯の振り方に明確な決まりがないため、交通誘導員の指示内容が的確に通行人または通行車両に伝わらないなどの問題点がある。
【先行技術文献】
【特許文献】
【０００６】
【特許文献１】特開平９−１４７６０１号公報
【０００７】
【特許文献２】特開２０００−６７３７９号公報
【発明の概要】
【発明が解決しようとする課題】
【０００８】特許文献１、特許文献２ともに、色彩の違いによる交通誘導であり、交通誘導員は通行人または通行車両に対して指示内容を色彩の違いで適切に伝える必要がある。【０００９】同じく、前記の円筒状の赤色の照明部を装備した交通誘導灯においては、交通誘導員の指示灯の振り方に明確な決まりが無いため、交通誘導員の指示内容が通行人または通行車両に的確に伝わらないなどの問題点がある。
【課題を解決するための手段】
【００１０】これらの問題を解決するため、本発明の携帯型指示装置の第１の発明は、表示部とグリップ部により構成され、表示部において○形、□形、△形、×形等の複数の形状を表示することが出来ることを特徴とするものである。
さらに、第２の発明は、表示部が複数のＬＥＤ発光体によって構成され、グリップ部に備えたＬＥＤ発光体を点灯させるスイッチの操作により、点灯させたＬＥＤ発光体によって形状表示を行うことを特徴とするものである。【００１１】第３の発明は、点灯する際は点滅とすることでさらに認識度を向上させている携帯型指示装置である。【００１２】第４の発明は、特に交通誘導用として用いた場合好適であり、○形表示部の緑色を通行許可、×形の表示部の赤色を通行不許可とすることで、通行許可と通行不許可の違いを表示部の形状と色彩を変えることで分かりやすい交通誘導が行える。
また、表示部が発光点滅することにより昼夜にかかわらず交誘導理員の指示内容を的確に通行人または通行車両に伝える事が出来る。【００１３】第５第６の発明では、本発明の携帯型指示装置は交通誘導員自身にも、グリップ部に備えた音声発生装置および振動素子により、表示の切り替えと連動して異なる音声および異なるパターンの振動により、交通誘導員の誤指示をなくす対策を講じている。
【発明の効果】
【００１４】これにより従来の交通誘導灯の欠点であった、交通誘導員の指示灯の振り方の違いによる通行許可、あるいは通行不許可を、本発明の携帯型指示装置を使うことにより通行許可または、通行不許可を分かりやすく通行人および通行車両に知らせることが出来、交通誘導を安全かつ円滑に行うことが出来る。
また、交通誘導員と通行車両等の意志の違いによるトラブル防止も見込まれ、道路工事地域周辺の住民に対する交通渋滞等による影響も少なくなり、環境に配慮することが出来る。
【図面の簡単な説明】
【００１５】
【図１】本携帯型指示装置の電源ＯＦＦにした状態における正面図である。
【図２】本携帯型指示装置の電源ＯＮ後、○形表示部点灯スイッチをＯＮし、○形表示部が点灯した状態における正面図である。
【図３】本携帯型理指示装置の電源ＯＮ後、×形表示部点灯スイッチをＯＮし、×形表示部が点灯した状態における正面図である。
【図４】交携帯型指示装置を正面から見た○形表示部が点滅しているイメージの説明図である。
【図５】本携帯型指示装置により交通整理を実施した場合の説明図である。
【図６】本携帯型指示装置の正面図および寸法図と部品の名称を記載した図である。
【図７】前記図６を右側面図および寸法図と名称を記載した図である。
【図８】本携帯型指示装置の表示部にあたるＬＥＤ基板の正面図である。
【図９】前記図８のＬＥＤ基板の底面図である。
【図１０】本携帯型指示装置のグリップカバーの正面図とスイッチの名称である。
【図１１】前記図１０のグリップカバーの右側面図である。
【図１２】前記図１０のグリップカバーの底面図である。
【図１３】本携帯型指示装置のグリップベースの正面図と内部構造図である。
【図１４】前記図１３のグリップベースの右側面図である。
【図１５】前記図１３のグリップベースの底面図である。
【図１６】本携帯型指示装置の表示部のＬＥＤ基板取り付けフレームの正面図である。
【図１７】前記図１６のＬＥＤ基板取り付けフレームの右横側面図である。
【図１８】前記図１６のＬＥＤ基板取り付けフレームの底面図である。
【図１９】本携帯型指示装置の表示部のＬＥＤカバーの正面図である。
【図２０】前記図１９のＬＥＤカバーの右側面図である。
【図２１】前記図１９のＬＥＤカバーの底面図である。
【図２２】本携帯型指示装置の表示部とグリップ部の組立てを説明する図である。
【図２３】本携帯型指示装置の回路図である。
【発明を実施するための形態】
【００１６】以下、本携帯型指示装置の実施の形態の例を図１〜図２３に基づいて説明する。
なお、これらの図は○形を通行許可、×を通行不許可とした実施例である。
【００１７】図１は、グリップ部の電源スイッチをＯＦＦにした状態で、全ての表示部が点滅していない状態を示す。
【００１８】図２は、電源ＯＮ後、グリップ部の○形表示部点灯スイッチを押したことにより、点滅する外周部の○形表示部ＬＥＤが点灯した状態を示す。
【００１９】図３は、電源ＯＮ後、グリップ部の×形表示部点灯スイッチを押したことにより、点滅する円内部のクロスする×形表示部ＬＥＤが点灯した状態を示す。
【００２０】図４は、通行許可時を表す○形表示部がＬＥＤにより点滅しているイメージの説明図である。
【００２１】図５は、本携帯型指示装置を道路工事においての交通整理を実施した場合の説明図で、この図においては道路工事箇所の両端に交通整理員を配置したことを想定し、左からの車両を○形表示部を点滅させることで通行許可とし通行させ、右からの車両は×形表示部を点滅させることで通行不許可とし停止させている。
【００２２】図６は、本携帯型指示装置の正面図と寸法図および、部品の名称である。
寸法においては、Ｗは３００〜６００ｍｍ、Ｈは４００〜８００ｍｍ、Ｇは２００〜３００ｍｍ。素材はグリップ部も含めて、ポリカーボネイトまたはプラスティック等の合成樹脂製を使用する。
【００２３】図７は前記図６の右側面図および寸法図と名称を記載した図である。
【００２４】図８は、本携帯型指示装置の表示部にあたるＬＥＤ基板のＬＥＤの配列例および、正面図である。図８の外周部の○形２列の白抜き○がＬＥＤで青色、緑色、赤色等で点滅発光する。
また、同じく円内部の×形２列および中央の塗りつぶし●がＬＥＤで、同じく青色、緑色、赤色等で点滅発光する。なお、このＬＥＤは高輝度のものが好ましい。
ＬＥＤ色においては、通行許可時には○形表示部のＬＥＤを緑色、通行不許可時には×形表示部のＬＥＤを赤色にすることにより、さらに通行許可、通行不許可が分かりやすくなる。
この図においてＬＥＤの配列は２列であるが、この配列は仕様により異なる。
【００２５】図９は、本携帯型指示装置の表示部にあたるＬＥＤ基板を底面図である。
【００２６】図１０はグリップ部のグリップカバーの正面図および、各スイッチの配列例と長さをＧ、グリップ部との接合部の直径をＣで表す。
グリップカバーには、電源スイッチ１２、○形表示部点灯スイッチ１０および、×形表示部点灯スイッチ１１が配置されている。
電源スイッチ１２を押すと本携帯型指示装置の電源が入る。（電源ＯＮ）
電源が入った状態で、○形表示部点灯スイッチ１０を押すと、外周部の○形表示部ＬＥＤが点滅発光し通行許可を表す。
同じく×形表示部点灯スイッチ１１を押すと、円内部のクロスする×形表示部ＬＥＤが点滅発光し通行不許可を表す。
また、この○形表示部点灯スイッチおよび、×形表示部点灯スイッチは夜間の使用を考慮し、電源ＯＮ時はスイッチ自体に照明を設け点灯する。
【００２７】図１１は前記図１０のグリップカバーの右側面図である。
【００２８】図１２は前記図１０のグリップカバーの底面図である。
【００２９】図１３はグリップ部のグリップベースを正面図、電池ケース、制御基板、外部電源入力端子、ストラップ取り付けリングの配置例である。
本携帯型指示装置の電源は乾電池または充電電池を使用する。
ただし、長時間使用する時などを考慮し、外部電源による電源供給を可能とする。
【００３０】図１４は前記図１３のグリップベースを右側面図である。
【００３１】図１５は前記図１３のグリップベースの底面図である。
【００３２】図１６は、本携帯型指示装置の表示部のＬＥＤ基板を取り付けるＬＥＤ基板取り付けフレームの正面図である。使用する素材は、ポリカーボネイトまたはプラスティックで非透明。
具体的な寸法においては、Ｗは３００〜６００ｍｍ、Ｈは４００〜８００ｍｍ
Ａは２０〜５０ｍｍ、Ｂは１０〜２５ｍｍ、Ｃは２５〜４５ｍｍ。
【００３３】図１７は前記図１６のＬＥＤ基板取り付けフレームの右側面図である。
【００３４】図１８は前記図１６のＬＥＤ基板取り付けフレームの底面図である。
【００３５】図１９は本携帯型指示装置の表示部のＬＥＤカバーの正面図である。図面上の外周部に４０個、クロスする円内部に４１個ある小さな白丸はＬＥＤの明るさを強調するレンズ。レンズは内側に突起しておりＬＥＤの上に来るように設定されている。具体的な寸法においては、Ｗは３００〜６００ｍｍ、Ｈは４００〜８００ｍｍ、Ａは２０〜４０ｍｍ、Ｂは１０〜２５ｍｍ。
【００３６】図２０は本携帯型指示装置の表示部のＬＥＤカバーを右側面図である。
【００３７】図２１は本携帯型指示装置の表示部のＬＥＤカバーの底面図である。
【００３８】図２２は図１６のＬＥＤ取り付けフレームに図８のＬＥＤ基板を取り付け、さらに図１９のＬＥＤカバーを取り付ける。さらに前述の図１０のグリップカバーと図１３のグリップベースを組み付けることにより、本携帯型指示装置の組立てが完成することをイメージした組立て図である。このＬＥＤカバーの色は基本的には透明である。
また、全てのＬＥＤの色を白色（無色）とした場合は、ＬＥＤカバーの色を青色、緑色、赤色等に変えることにより前述の図８で述べたＬＥＤ色を変えたものと同等の表示部を構成することが出来る。
【００３９】図２３は本携帯型指示装置の電気回路をブロック図化したものである。
【００４０】符号の説明
１、表示部
２、グリップ部
３、ストラップ
４、ＬＥＤカバー
５、ＬＥＤ基板
６、ＬＥＤ基板取り付けフレーム
７、グリップカバー
８、グリップベース
９、ＬＥＤ
１０、○形表示部点灯スイッチ
１１、×形表示部点灯スイッチ
１２、電源スイッチ
１３、制御基板
１４、電池ケース
１５、外部電源入力端子
１６、ストラップ取付けリング
Ｗ、表示部の直径
Ｈ、本体の全長
Ｇ，グリップ部の長さ
Ｄ、表示部＋グリップ部との接合部
Ａ、表示部分の幅
Ｂ，表示部の厚さ
Ｃ、グリップ部の外径
Ｃａ、グリップ部の内径
【図１】
2014235999.tif 000003
【図２】
2014235999.tif 000004
【図３】
2014235999.tif 000005
【図４】
2014235999.tif 000006
【図５】
2014235999.tif 000007
【図６】
2014235999.tif 000008
【図７】
2014235999.tif 000009
【図８】
2014235999.tif 000010
【図９】
2014235999.tif 000011
【図１０】
2014235999.tif 000012
【図１１】
2014235999.tif 000013
【図１２】
2014235999.tif 000014
【図１３】
2014235999.tif 000015
【図１４】
2014235999.tif 000016
【図１５】
2014235999.tif 000017
【図１６】
2014235999.tif 000018
【図１７】
2014235999.tif 000019
【図１８】
2014235999.tif 000020
【図１９】
2014235999.tif 000021
【図２０】
2014235999.tif 000022
【図２１】
2014235999.tif 000023
【図２２】
2014235999.tif 000024
【図２３】
2014235999.tif 000025